(57)【要約】【課題】遊技中に球が入賞すると、賞球を短時間で上皿に払い出すことができるようにする。【解決手段】球が入賞すると出力される入賞信号に基づいて、球タンクから供給される賞球を、遊技台１０Ａ表側の上皿２４に所定数ずつ払い出す賞球装置１８を備えている遊技機において、前記賞球装置１８を、遊技台の前方に位置する前記上皿２４に、遊技台の後方から賞球を誘導する前後誘導経路２２の直上に配設した。【選択図】図４
2008093209.tif 000002
【特許請求の範囲】
【請求項１】
球が入賞すると出力される入賞信号に基づいて、球タンクから供給される賞球を、遊技台表側の上皿に所定数ずつ払い出す賞球装置を備えている遊技機において、
前記賞球装置を、遊技台の前方に位置する前記上皿に、遊技台の後方から賞球を誘導する前後誘導経路の直上に配設したことを特徴とする遊技機。
【請求項２】
前記賞球装置の球導入口に、前記球タンクから供給される球を整列保持する１又は２本以上の整列経路の下流端が直結されていると共に、
該整列経路が前後方向に蛇行して裏側縦方向に配設され、且つ２本以上の場合は整列経路が前後に近接されていることを特徴とする請求項１に記載の遊技機。
【発明の詳細な説明】
【技術分野】
【０００１】
本発明は、遊技機、特に遊技中に球が入賞すると短時間で賞球を払い出すことができる遊技機に関する。
【背景技術】
【０００２】
図１には、従来のパチンコ遊技機（以下、単に遊技機ともいう）の背面図を、図２には図１におけるＡ−Ａ断面図をそれぞれ示す。
【０００３】
従来の遊技機１０では、遊技者側である表側に遊技盤があり、その裏側には、その中央部に遊技盤を構成する大型の液晶表示部やその制御部等が一体的に形成された液晶ユニット１２が配設され、その上方に遊技球を貯留する球タンク１４が配設されている。
【０００４】
この遊技機１０では、遊技中に球が入賞口に入ると一定数の賞球が遊技者に払い出されるが、この賞球は上記球タンク１４から図１の左右方向に配設された整列経路１６を介して、側端上部に配設されている賞球装置１８に供給され、該賞球装置１８により所定数ずつ縦方向に配設されている賞球経路２０を介して、前後誘導経路２２の後部に落下されることにより、その前方の表側に配設されている上皿２４に供給されるようになっている。
【０００５】
このような構造を有する遊技機１０では、近年遊技盤の液晶表示部に対する拡大要求に応えるためや、遊技盤裏面に対して制御用電子部品等を搭載する自由度を高めるために、裏セットと呼ばれる球タンク１４から賞球装置１８、整列経路２０まで等の上部や側方部を狭く構成することにより、裏側中央の液晶ユニット１２の拡大を図る傾向がある。又、図示されているように中央部の液晶ユニット１２を拡大するために、球経路と比べて幅が広い賞球装置１８は、上方に設置される傾向があり、例えば特許文献１に開示されているように球タンクと整列経路及び賞球装置を一体とする構造も提案されている。
【０００６】
【特許文献１】特開２００３−２８４８４５号公報
【発明の開示】
【発明が解決しようとする課題】
【０００７】
しかしながら、従来の遊技機のように賞球装置を上方に設置する構造では、遊技盤上の入賞口に球が入った時の入賞信号によって球の払い出しを行なう賞球装置１８と、遊技者の手元にある上皿２４までの距離が長いため、入賞口に球が入ってから上皿２４に賞球が到達するまでの時間も長くなってしまう。
【０００８】
このように賞球の払い出に要する時間が長いということは、上皿２４の球が残り僅かとなり、例えば最後の球が入賞して大当たりした場合、次に発射できるまでの時間が遅くなってしまうため、折角制限時間があるＶゾーンが開放しているにも拘わらず、球を発射することができない時間が長くなってしまうため、遊技者からの苦情の原因となってしまう。
【０００９】
本発明は、前記従来の問題点を解決するべくなされたもので、遊技中に球が入賞すると、賞球を短時間で上皿に払い出すことができる遊技機を提供することを課題とする。
【課題を解決するための手段】
【００１０】
本発明は、球が入賞すると出力される入賞信号に基づいて、球タンクから供給される賞球を、遊技台表側の上皿に所定数ずつ払い出す賞球装置を備えている遊技機において、前記賞球装置を、遊技台の前方に位置する前記上皿に、遊技台の後方から賞球を誘導する前後誘導経路の直上に配設したことにより、前記課題を解決したものである。
【００１１】
本発明は、又、前記賞球装置の球導入口に、前記球タンクから供給される球を整列保持する１又は２本以上の整列経路の下流端が直結されていると共に、該整列経路が前後方向に蛇行して裏側縦方向に配設され、且つ２本以上の場合は整列経路が前後に近接されているようにしてもよい。
【発明の効果】
【００１２】
本発明によれば、前方に位置する上皿に後方から球を誘導する前後誘導経路の直上に、賞球装置を配設するようにしたので、該賞球装置から払い出された賞球の移動距離を、前後誘導経路上の上皿までの直線距離に短縮できるため、該上皿に賞球を短時間で払い出すことが可能となる。
【発明を実施するための最良の形態】
【００１３】
以下、図面を参照して、本発明の実施の形態について詳細に説明する。
【００１４】
図３は、本発明に係る第１実施形態の遊技機を示す、前記図１に相当する背面図であり、図４は図３におけるＢ−Ｂ断面図である。
【００１５】
なお、以下には前記図１及び図２に示した従来の場合と実質上同一の部分には同一の符号を使用して説明する。
【００１６】
本実施形態の遊技機１０は、遊技台１０Ａに裏側から嵌め込まれる液晶ユニット１２の設置スペースを大きくとるために、球タンク１４は従来と同様に上部に配設されているが、整列経路１６が従来の賞球経路２０の位置に当たる裏面側端部に縦方向に配設され、該整列経路１６の下端（下流端）に賞球装置１８が連結されている。
【００１７】
ここでは、２本の整列経路１６が、図４に示されるように横から見ると２列に、即ち前後に近接して１列になるように配設され、しかも同方向に蛇行したジグザグ構造になっている。従って、横方向には極めて幅を狭くすることができる上に、縦方向には多数の球を整列保持でき、しかもその荷重が分散されて下端部に集中しないようになっている。
【００１８】
上記２列の整列経路１６の下端に連結されている賞球装置１８は、図５に正面図、図６に１つの払い出し部を通る正面方向断面図、図７に図５におけるＣ−Ｃ断面図をそれぞれ示すような構成になっている。
【００１９】
この賞球装置１８では、図６に球払い出し部を示すように、球導入口１０Ａに前記整列経路１６の下流端が直結され、羽根車３０が反時計方向へ回転することにより、該整列経路１６から導入される球Ｂが払い出されると共に、球通過センサ３２により払い出し個数がカウントされる。カウントされた球Ｂは、排出経路３４を流下し、装置下方の前後誘導経路２２へと払い出される。
【００２０】
即ち、従来と異なり賞球装置１８を、前方（遊技台１０Ａの表側）に位置する上皿２４に、後方（遊技台１０Ａの裏側又はその近傍）から賞球を誘導するための前後誘導経路２２の直上に配設し、賞球経路２０を排除した構造になっている。
【００２１】
同様の構造からなる球払い出し部は、図６において紙面に垂直な方向に２列形成され、位相をずらして配設された２枚の羽根車３０により球Ｂを交互に、球通過センサ３２の上方の合流部に払い出すことができるようになっている。
【００２２】
又、このように賞球装置１８を前後誘導経路２２の直上に配設したことにより、該賞球装置１８には“球抜き”と呼ばれる遊技機内の球を全て抜く作業を行なう際に球を流下させる球抜き経路３６が一体化されている。
【００２３】
本実施形態の遊技機は、上述したように賞球装置１８を前後誘導経路２２の直上に配設し、従来のように賞球装置１８の下流に配設されていた縦に長い賞球経路２０を排除したことにより、賞球装置１８と上皿２４との距離は従来の遊技機に比べて、大幅に短い構造にすることができた。
【００２４】
以上の構成において、遊技者が発射ハンドルの操作により遊技盤上の遊技領域に打ち込んだ球が入賞口に入ると、賞球装置１８に入賞信号が出力されることより所定個数の球が払い出される。この賞球装置１８により払い出された球は、直下の前後誘導経路２２に落下すると、後方から前方へのわずかな距離を移動して上皿２４へと供給される。従って、従来の遊技機よりも、入賞から上皿２４に球が払い出されるまでの時間が大幅に短縮されている。
【００２５】
以上詳述した本実施形態によれば、以下の効果が得られる。
【００２６】
（１）従来の賞球装置の下流側に配設されていた賞球経路を排除することにより、賞球装置と上皿との距離を短縮することができるので、入賞してから上皿へ球が払い出されるまでの時間を短縮でき、遊技者の不快感を軽減することができる。
【００２７】
（２）賞球経路を排除して賞球装置を前後誘導経路の直上に配設するようにしたことにより、裏側の側方部を狭く構成することが可能となり、中央部の液晶ユニットを拡大することができる。
【００２８】
図８は、本発明に係る第２実施形態の特徴を示す、前記図４に相当する断面図である。
【００２９】
本実施形態の遊技機では、前記第１実施形態に比べ、前後誘導経路２２の後端部を後方に延長することにより排出経路３４を排除し、合流部の下方で球通過センサ３２によりカウントされた球Ｂが直接前後誘導経路２２上に落下するようにした。これにより、賞球装置１８の設置高さを更に下げることが可能となると共に、落下した賞球は前後誘導経路２２上を前方に移動するだけで済むので、上皿２４までの払い出し時間を更に短縮することができる。
【００３０】
なお、前記実施形態では、整列経路１６が２列である場合を示したが、１列であってもよく、必要があれば３列以上にして互いに前後に近接配置するようにしてもよい。
【図面の簡単な説明】
【００３１】
【図１】従来の遊技機を示す背面図
【図２】図１におけるＡ−Ａ拡大断面図
【図３】本発明に係る第１実施形態の遊技機を示す背面図
【図４】図３におけるＢ−Ｂ拡大断面図
【図５】賞球装置を拡大して示す正面図
【図６】賞球装置の正面方向から見た拡大断面図
【図７】図５におけるＣ−Ｃ断面図
【図８】本発明に係る第２実施形態の遊技機を示す、図４に相当する断面図
【符号の説明】
【００３２】
１０…（パチンコ）遊技機
１０Ａ…遊技台
１２…液晶ユニット
１４…球タンク
１６…整列経路
１８…賞球装置
１８Ａ…球導入口
２０…賞球経路
２２…前後誘導経路
２４…上皿
３０…羽根車
３２…球通過センサ
３４…排出経路
３６…球抜き経路
【図１】
2008093209.tif 000003
【図２】
2008093209.tif 000004
【図３】
2008093209.tif 000005
【図４】
2008093209.tif 000006
【図５】
2008093209.tif 000007
【図６】
2008093209.tif 000008
【図７】
2008093209.tif 000009
【図８】
2008093209.tif 000010